(57)【特許請求の範囲】
【請求項１】
歯科用ハンドピースにおけるバー取付部分（Ａ）に装着した中空のロッド（３）を回転させるとともに、バー取付部分（Ａ）のハウジング（８）内部に通じる空間の一部に吸引ホース（６）の先端を隙間なく密着して取り付けた口腔内吸引機を動作させることによって、ハウジング（８）内部に通じる残りの空間からハウジング（８）内部に洗浄液（２）を吸入し、該洗浄液（２）をハウジング（８）内部を通して外部に排出する歯科用ハンドピース内部の洗浄方法。
【請求項２】
歯科用ハンドピースにおけるバー取付部分（Ａ）に、先端側及び後方側に開口部（２３），（２４）を備えた中空のロッド（３）を回転自在に取付けるとともに、該ロッド（３）側方の開口部（２４）をバー取付部分（Ａ）のハウジング（８）内部に位置させ、該ハウジング（８）内部に通じる空間の一部を隙間なく覆う装着アダプター（７）を口腔内吸引機の吸引ホース（６）先端側に取付け、上記ハウジング（８）内部に通じる空間における残りの空間を洗浄液（２）内に浸して構成した歯科用ハンドピース内部の洗浄装置。
【発明の詳細な説明】
【０００１】
【発明の属する技術分野】
この発明は歯科で用いられる歯等を切削する歯科用ハンドピース内部の洗浄方法とその装置に関する。
【０００２】
【従来の技術】
従来歯科等では、治療のため先端に交換自在な切削用バーを備えたハンドピースを用いて歯又は骨等を削っている。そして治療に使用したハンドピースは、一般的には使用後ハンドピースごと洗浄槽等に浸けて超音波洗浄等を行い、その後オートクルーブ（滅菌機）等にかけ滅菌を行うという方法で、洗浄及び滅菌が行われている。
【０００３】
【発明が解決しようとする課題】
しかし上記超音波洗浄とオートクルーブによる洗浄，滅菌方法では、ハンドピース外装部分の洗浄及び滅菌はほぼ完全に行われるが、ハンドピースがその内部に洗浄液や滅菌液を積極的に取り込むような構造になっていないため、ハンドピース内部の洗浄及び滅菌等が不完全であった。このためハンドピース使用時（治療時）に内部に入り込んだ血液等の洗浄が完全に行われず衛生管理上問題があるほか、ハンドピース内部に残った血液が固まりハンドピース内部の機構が動作しなくなり、ハンドピースを破損する場合があるという問題点があった。
【０００４】
【課題を解決するための手段】
上記問題点を解決するための本発明の歯科用ハンドピース内部の洗浄方法は、歯科用ハンドピースにおけるバー取付部分Ａに装着した中空のロッド３を回転させるとともに、バー取付部分Ａのハウジング８内部に通じる空間の一部に吸引ホース６の先端を隙間なく密着して取り付けた口腔内吸引機を動作させることによって、ハウジング８内部に通じる残りの空間からハウジング８内部に洗浄液２を吸入し、該洗浄液２をハウジング８内部を通した後、外部に排出することを特徴としている。
【０００５】
また本発明の歯科用ハンドピース内部の洗浄装置は、歯科用ハンドピースにおけるバー取付部分Ａに、先端側及び後方側に開口部２３，２４を備えた中空のロッド３を回転自在に取り付けることと、該ロッド３側方の開口部２４をバー取付部分Ａのハウジング８内部に位置させることと、該ハウジング８内部に通じる空間の一部を隙間なく覆う装着アダプター７を口腔内吸引機の吸引ホース６先端側に取り付けることと、上記空間の残りを洗浄液２内に浸して構成したことを特徴としている。
【０００６】
【発明の実施の形態】
以下に本発明の実施形態を図面に従って説明する。本発明は歯科用ハンドピースの洗浄を、該ハンドピースに切削用バーの代わりに洗浄用のロッド３を取付けるとともに、装着アダプター７を介して口腔内吸引機の吸引ホース６を取付け、上記ロッド３と吸引ホース６が取付けられたハンドピースを洗浄液２に内に浸けて行うものである。図１は歯科用ハンドピースのうちアングルハンドピースの洗浄状態を示す斜視図である。ビーカー等の洗浄槽１内には洗浄液２が満たされており、通常の切削用バーの代わりに後述するような円柱形状である洗浄用のロッド３を回転自在に取り付けたアングルハンドピースの本体４先端のバー取付部分Ａが、グリップ部分Ｂを手で持つ等の方法によって上記洗浄液２内に浸されている。このときバー取付部分Ａの後端側（バー挿入部分に相対する側）には、通常歯科治療室に備えられている口腔内吸引機（図示しない）の吸引ホース６先端に取り付けられた後述する装着アダプター７が密着して取り付けられている。
【０００７】
そして上記本体４前端のロッド３を回転させるとともに口腔内吸引機を動作させることで、後述するようにバー取付部分Ａのハウジング８内部に洗浄液２を吸入排出して、ハウジング８内部の洗浄を行うものである。以下に各部の構造及び動作について説明する。なおこの実施形態の説明においては、バー取付部分Ａのバー挿入部分側を前（先）、該バー挿入部分の逆端部側を後、グリップ部Ｂのバー取付部分Ａとの接合部分側を上、該接合部分の逆端部側を下とする。
【０００８】
図２は洗浄液２に浸されたアングルハンドピースのバー取付部分Ａの側断面図である。バー取付部分Ａのハウジング８内には前後端のベアリング９，１１を介して、両端が開放した中空のバーホルダー１２が回転自在に支持されており、該バーホルダー１２の中空部分とハウジング８内部は該バーホルダー１２の両端の開放部分を通して空間的につながっている。このときハウジング８前端にはバーホルダー１２の中空部分と同心に切削用バーを挿入するためのバー挿入孔８ａが設けられており、ハウジング８の内部（バーホルダー１２の中空部分を含む）は該バー挿入孔８ａを通じて外部と空間的につながっている。
【０００９】
また該バーホルダー１２の両ベアリング９，１１間にはベアリング９に接して伝動ギヤ１３が外嵌固定されており、該伝動ギヤ１３はグリップ部Ｂ内部に上下方向に設けられている駆動軸１４の上端に設けられた駆動ギヤ１６と噛合している。そして上記構造のバーホルダー１２の中空部分に、バーホルダー１２前端の開放部分から後述するようにロッド３を挿入固定し、駆動軸１４を回転させることで駆動ギヤ１６及び伝動ギヤ１３を介してバーホルダー１２を回転させ、バーホルダー１２と一体にロッド３を回転させる構造となっている。
【００１０】
次にバーホルダー１２及びロッド３の構造について説明する。該バーホルダー１２の中空部分の径は上記ロッド３が緩嵌できる程度となっており、その周面（バーホルダー１２の内周面）１２ａの後端側の一部が階段状に形成されている。また上記ロッド３の後端部分には該バーホルダー内周面１２ａの階段形状に一致する形状の切欠部３ａが形成されており、該切欠部３ａと階段状部分を合わせてロッド３をバーホルダー１２内に挿入することで、ロッド３のバーホルダー１２に対する周方向の位置決めがなされる。
【００１１】
一方上記バーホルダー１２の後端部分には図２，図３（ａ）に示されるように、バーホルダー１２内に挿入されたロッド３を固定する（軸芯方向の位置決めを行う）ラッチ機構１７が、溝１８，ラッチ爪１９，カバー２１，スプリング２２等により構成され設けられており、ロッド３の後端側に備えられている周方向のラッチ溝３ｂにラッチ爪１９が係止することで、ロッド３をバーホルダー１２に固定するとともに、カバー２１を前方に押し込みながらロッド３を前方に引くことで、ラッチ爪１９とラッチ溝３ｂの係止を解除し、ロッド３をバーホルダー１２から引き抜くことができる構造となっている。
【００１２】
またバー取付部分Ａは後端に前後スライド自在にプッシュボタン２６が装着され、該プッシュボタン２６を押し込むことで、ハウジング８内部の上記カバー２１を前方に押し込むことができる。つまりハウジング８の外部からプッシュボタン２６の操作を行うことでロッド３のバーホルダー１２への着脱を行うことができる構造になっている。なお以上に示すバーホルダー１２の構造は従来のラッチ式のものと同様であり、動作の詳細な説明は省略する。
【００１３】
このときカバー２１の後面略中心に孔２１ａが設けられているとともに、カバー２１が溝１８を隙間を有して覆っていることから、バーホルダー１２の中空部分はカバー２１が設けられていてもハウジング８内部と空間的につながっている。またプッシュボタン２６の背面に孔２６ａが空けられているとともに、プッシュボタン２６とハウジング８との摺動部分に隙間２７が存在することにより、ハウジング８の内部（バーホルダー１２の中空部分を含む）は、孔２６ａ及び隙間２７を通じて外部と空間的につながっている。
【００１４】
一方ロッド３は前述のように後端側に切欠部３ａを、後端側外周にラッチ溝３ｂを備えた円柱形状となっている。つまり図２及び図３（ａ），（ｂ）に示されるようにロッド３は円柱の後端部分が従来のラッチ式の切削用バーの後端部分と同形状に加工された外形を有するものである。さらにロッド３は後端側側方と先端面に開口部２３，２４を設けた中空形状となっており、該側方の開口部２４は上記ラッチ溝３ｂの底面部分に位置している。そして上記のようにロッド３をバーホルダー１２に装着した時、上記側方の開口部２４は溝１８部分のバーホルダー内周面１２ａに相対応する。これによってロッド３をバーホルダー１２に装着することで、バーホルダー１２の中空部分がロッド３の中空部分を介して外部と空間的につながる。
【００１５】
このときロッド３とバー挿入孔８ａとの間及びバーホルダー１２の内周面１２ａとロッド３との間にはそれぞれ隙間２８，３０が存在する。このためロッド３のバーホルダー１２への装着状態におけるバーホルダー１２の中空部分を含むハウジング８内部は、ハウジング８前端側の空間（隙間２８，隙間３０，ロッド３の中空部分）及び後端側の空間（孔２６ａと隙間２７）を通じて外部と空間的につながっている。なお孔２６ａが設けられていない機種の場合は後端側の空間は隙間２７のみとなる。なおハウジング８とベアリング９，１１との間にも隙間２９がある。
【００１６】
次に装着アダプター７について説明する。該装着アダプター７はゴム等の弾性的変形を行う材料で形成されており、両端が開口した中空形状を有している。そしてその一端の開口部は通常歯科に一般的に用意されている口腔内吸引機の吸引ホース６に連結されており、他端の開口部はバー取付部分Ａ（ハウジング８）の後端部分に、上記隙間２７及び孔２６ａを覆うように取り付けられている。このとき上記開口部は弾性変形するので、前記のように隙間２７及び孔２６ａを塞ぐように、開口部を一旦広げて取り付けると弾性的に縮まり、ハウジング８の外形形状にかかわらずハウジング８に密着し、隙間２７及び２６ａを完全に覆う。
【００１７】
次にバー取付部分Ａのハウジング８内への洗浄液２の吸引排出方法について説明する。前述のようにロッド３を装着した本体４のバー取付部分Ａ前端を洗浄液２に浸ける。このときロッド３は勿論、ハウジング８前端の隙間２８部分まで洗浄液２に浸ける。そしてバーホルダー１２を回転させてロッド３を回転させるとともに、ハウジング８後端側に装着アダプター７を介して取り付けられている口腔内吸引機を動作させる。
【００１８】
これによってハウジング８内部（バーホルダー１２の中空部分を含む）が前述のように外部に空間的につながっていることから、洗浄液２がロッド３前端面の開口部２３から中空部分を通って側方の開口部２４よりバーホルダー内周面１２ａ側に吸入され、バーホルダー１２のロッド３との隙間３０を通って、上記隙間２７及び孔２６ａから口腔内吸引機の吸引ホース６によって排出される（図２の実線矢印参照）。また隙間２８からも洗浄液２が隙間３０及びハウジング８内に吸入され、ハウジング８内を通って上記同様に口腔内吸引機側に排出される（図２の点線矢印参照）。つまり洗浄液２はハウジング８の前端側の空間からハウジング８の内部に吸入され、ハウジング８内部の洗浄を行った後、ハウジング８後端側の空間から口腔内吸引機側に排出される。
【００１９】
このときロッド３側から吸入される洗浄液２は、ロッド３（バーホルダー１２）が回転しながら側方の開口部２４より排出されることによって遠心力により噴射的にバーホルダー内周面１２ａ散布される。そして開口部２４とバーホルダー１２の位置関係により、特にラッチ機構１７側に洗浄液２が効率よく散布される。このためラッチ機構１７の洗浄を特に効果的に行うことができ、ハウジング８内に入り込んだ血のり等が固まってラッチ機構１７（ラッチ爪１９等）が動作（ロッド３の保持及び開放動作）しなくなること等を防止する。
【００２０】
さらにハウジング８前端の隙間２８から吸入される洗浄液２もバーホルダー１２が回転しているため、回転摺動部分等の効果的な洗浄を行うことができる。このとき洗浄液２を滅菌液とすることで、ハウジング８内部の消毒，滅菌を確実に行うことができる。また洗浄液２の代わりに潤滑油に浸けることでハウジング８内に効果的に潤滑油を注入することもできる。つまり洗浄液２を様々なメンテナンス用の液に交換することで、そのメンテナンス用の液に対応したハンドピースのメンテナンスを行うことができる。なおハンドピースを回転動作させるためには、通常バーホルダー１２に切削用バーを取り付け、適正な負荷を与える必要があり、切削用バーを取り付けずに回転させることができない。しかし上記洗浄方法はロッド３が切削用バーの代わりに取り付けられているので、バーホルダー１２を回転させることができる。
【００２１】
また図４に示されるようにハウジング８の後端側を洗浄液２に浸し、前端側にロッド３及び隙間２８を覆うように装着アダプター７を取り付けて、上記同様ロッド３（ロッドホルダー１２）を回転させながら、口腔内吸引機を動作させることで、ハウジング８内に洗浄液２を吸入して、ハウジング８内部の洗浄を行ってもよい。この場合上記実施形態とは逆に、ハウジング８の後端の孔２６ａ及び隙間２７から洗浄液２がハウジング８内部に吸入され、ハウジング８内の洗浄後洗浄液２がハウジング８前端の隙間２８及びロッド３先端の開口部２３から排出される。そしてこの方法もロッドホルダー１２が回転しているため、洗浄効果は高い。
【００２２】
また図５に示すように、ロッド３の側方の開口部２４を切欠部３ａ面上に設けてもよい。この場合は開口部２４からバーホルダー１２の内周面１２ａにおける階段状部分とロッド３の切欠部３ａに洗浄液２が噴射的に散布され、これによってロッド３のバーホルダー１２に対する周方向の位置決め部分の洗浄を効果的に行うことができる。このとき洗浄液２は、該周方向の位置決め部分（バーホルダー内周面１２ａの階段状部分とロッド３の切欠部３ａ）からラッチ機構１７側に廻るのでラッチ機構１７の洗浄も確実に行うことができる。
【００２３】
さらに図６に示すようにバーホルダー１２側における、ロッド３の側方の開口部２４に相対する部分に排出孔３１を設けてもよい。これによって上記開口部２４から排出される、又はハウジング８前端側の隙間２８から吸入される洗浄液２が、排出孔３１からハウジング８内に噴射的に散布され、ハウジング８内の洗浄をより効果的に行うことができる。
【００２４】
一方ラッチ機構１７には、図７（ａ），（ｂ）に示されるようにバー取付部分Ａの後端側に図７（ａ）（背面視）において支点３２を中心に左右揺動自在に取り付けられたストッパー３３等により構成されているものもある。これはストッパー３３を図７（ａ）に示すように左側に揺動させた状態で、前記実施形態と同様にロッド３の切欠部３ａとバーホルダー内周面１２ａの階段状部分を合わせてロッド３をバーホルダー１２内に挿入して、ロッド３のバーホルダー１２に対する周方向の位置決めを行った後、バーホルダー１２の後端から突出したロッド３のラッチ溝３ｂにストッパー３３の係止部３３ａを係合させることでロッド３のバーホルダー１２に対する軸芯方向の位置決めを行うものである。なお本体４のその他の構造は前述の実施形態と同様であるが、バーホルダー１２のハウジング８に対するラジアル軸受はメタル３４となっている。
【００２５】
そして前述の実施形態と同様に洗浄液をハウジング８内に吸入排出することでハウジング８内部の洗浄を行うことができる。このときハウジング８前端側から洗浄液を吸入する場合、ロッド３のラッチ溝３ｂは係止部３３ａの周面を回転するため、バー３側方の開口部２４から係止部３３ａに洗浄液が噴射的に散布され、係止部３３ａの洗浄が効果的に行われるとともに、係止部３３ａに散布された洗浄液がストッパー３３の揺動支点部分（支点３２付近）に廻り、該揺動支点部分の洗浄も効果的に行われる。なおラッチ機構１７は以上の他にも多種多様であるが、上記のようにロッド３の側面に開口部２４を設けることで、様々なラッチ構造に対応してラッチ機構１７部分の洗浄を効率よく行うことができる。
【００２６】
次にストレートハンドピースの洗浄方法について説明する。これは切削用バーの代わりに洗浄用のロッド３を取り付けたストレートハンドピースを、ロッド３を回転させながら、本体４の一部を洗浄液２に浸けることができる機構に取付けて、該ハンドピースの内部の洗浄を行うものである。図８にストレートハンドピースの洗浄状態を示す側面図を示す。本体４が後端側（回転駆動機構取付け側）を下方にして洗浄槽１の回転台４３上に縦方向に取り付けられており、回転台４３から突出しているジョイント軸４４と後述する本体４後端部の伝動ジョイント４５とが連結している。このとき本体４はハウジング８が洗浄槽１側面から突出したアーム４６に固定されることで、洗浄槽１側に固定されており、回転台４３の上面とハウジング８の後端面との間に隙間４０を設けている。そして本体４の先端のバー取付部分Ａには前述の実施形態同様、切削用バーの代わりに後述する構造のロッド３が取り付けられており、さらに口腔内吸引機（図示せず）の吸引ホース６先端に設けられた前述の実施形態と同様の装着アダプター７がロッド３等を覆うように取り付けられている。
【００２７】
一方上記回転台４３は周面に歯車が形成されており、回転台４３の側方に設けられた駆動ギヤ４７と噛合している。一方該駆動ギヤ４７の上方には駆動軸４８を介して駆動ギヤと４７一体回転する従動ギヤ４９が設けられており、該従動ギヤ４９はその側方に設けられたモーター５１の回転軸５１ａに取り付けられた伝動ギヤ５２と噛合している。そしてモーター５１を回転させることで、伝動ギヤ５２，従動ギヤ４９，駆動ギヤ４７を介して回転台４３が回転して、ジョイント軸４４が回転することによって、後述するようにロッド３が回転する構造になっている。また洗浄槽１には洗浄液２が満たされており、ハウジング８後端の開放部分８ｂ（後述するようにハウジング８内部に通じている）が完全に洗浄液２に浸されている。
【００２８】
上記構造によりモーター５１を回転動作させてロッド３を回転させながら口腔内吸引機を動作させることで、後述するように本体４（ハウジング８）内部にハウジング８後端の開放部分８ｂから洗浄液２を吸入排出し、ハウジング８内部の洗浄を行う構造となっている。以下に各部の構成と動作について説明する。
【００２９】
図９（ａ），（ｂ）に洗浄状態のストレートハンドピース本体４の側断面図及びＺ−Ｚ断面図を示す。先端及び後端が開放しているハウジング８内にはベアリング等のラジアル軸受５３を介して回転自在にバーホルダー１２が支持されており、該バーホルダー１２内には切削用バーを着脱自在に保持するチャック機構５４が備えられている。またバーホルダー１２の後端には回転駆動力を受ける伝動ジョイント４５が設けられており、該伝動ジョイント４５が回転することでバーホルダー１２が回転する構造になっている。以上のようにハウジング８の先端側にバー取付部分Ａが構成されている。
【００３０】
このときバーホルダー１２内部（チャック機構５４部分）は、バーホルダー１２先端のバー孔５６のみでハウジング８内部と空間的につながっており、ハウジング８内部はハウジング８先端のバー挿入孔８ａ（先端側開放部分）とバーホルダー１２との隙間５９を通じて外部と空間的につながっている。さらにハウジング８内部はハウジング８とラジアル軸受５３との隙間を介して、ハウジング８の後端側の開放部分８ｂとも空間的につながっている。なお該チャック機構５４等ストレートハンドピース（本体４）の構造は従来のストレートハンドピースと同様であるので詳細な説明については割愛する。
【００３１】
一方バーホルダー１２には切削用バーの代わりに洗浄用のロッド３が、バー孔５６から挿入装着されている。このときロッド３とバー孔５６との間には隙間６０が存在する。つまりバーホルダー内部を含むハウジング８内部はロッド３が装着された状態において、先端側の空間（隙間５９，隙間６０）と後端側の空間（後端側開放部分８ｂ）を通じて外部と空間的につながっている。このとき該ロッド３のハウジング８からの突出部分と、上記隙間５９及び隙間６０とを覆って装着アダプター７が取り付けられている。
【００３２】
また上記ロッド３は先端及び後端面に開口部２３，２４を備えた中空形状となっており、外周面に軸芯方向の逃げ溝６１が設けられている。このとき該逃げ溝６１はロッド３の後端から始まり、その終点はロッド３をバーホルダー１２に装着したときにハウジング８先端から突出する位置となっている。また上記ロッド３の先端には、スプリング６２によって先端側に付勢されて後端方向から先端側の開口部２３を塞ぐ円錐形状のキャップ６３が取り付けられている。なおスプリング６２の付勢力に抗して該キャップ６３を後端側に押すと、ロッド３の先端側の開口部２３は開放され、ロッド３の中空部分を通じてもバーホルダー１２内部が外部（装着アダプター７の内部）に空間的につながる。
【００３３】
そして回転台４３を回転させて伝動ジョイント４５を回転させることによってバーホルダー１２と一体的にロッド３を回転させながら口腔内吸引機を動作させると、洗浄液２がハウジング８の後端開口部分８ｂからハウジング８の内周面とバーホルダー１２の外周面との隙間に吸入され、吸引ホース６によって上記隙間５９から排出される。つまりハウジング８内周面とバーホルダー１２の外周面との隙間が洗浄液２によって洗浄される。このときバーホルダー１２が回転しているため上記洗浄が効果的に行われる。
【００３４】
一方口腔内吸引機が動作すると、一旦キャップ６３がロッド３の先端側に引かれ開口部２３を塞ぐ。そして隙間５９から排出（流出）する洗浄液２によるベンチュリー効果等により、ロッド３の逃げ溝６１及び上記隙間６０からバーホルダー１２内部のエアーが引かれ、バーホルダー１２内部が負圧になる。そしてバーホルダー１２内部が負圧になると、ロッド３の中空部分を介して一旦ロッド３の先端側に引かれていたキャップ６３が後端側に引かれてロッド３先端の開口部２３が開放する。これによって装着アダプター７内で、ロッド３の先端側の開口部２３からバーホルダー１２内部に入り、ロッド３の逃げ溝６１及びロッド３とバーホルダー１２のバー孔５６の隙間６０から排出される経路を持つエアーの流れが形成される。
【００３５】
そして上記エアーの流れによって隙間５９から排出される洗浄液２の一部が、ロッド３の先端の開口部２３から、ロッド３の中空部分を通ってバーホルダー１２内部に吸入され、バーホルダー１２内を通って、ロッド３の逃げ溝６１及びロッド３とバーホルダー１２のバー孔５６との隙間６０から排出される。つまり上記開口部２３からバーホルダー１２内部に送られた洗浄液２によってバーホルダー１２内部の洗浄が行われる構成となっている。以上のようにストレートハンドピースの内部の洗浄が行われる。
【００３６】
なお上記のようにストレートハンドピースの本体４を取り付ける洗浄槽１は、ロッド３（バーホルダー１２）を回転させながら、ハウジング８の内部に通じる空間の一部を洗浄液２に浸すことができる構造のものであればどのような構造のものであってもよい。
【００３７】
またロッド３は、図１０に示されるように後端の開口部２４をロッド３後端側の側面に設けてもよい。この場合はロッド３の中空部分からバーホルダー１２内部に送られる洗浄液２がロッド３（バーホルダー１２）の回転により、バーホルダー１２内部に遠心力によって噴射的に散布され、より効果的な洗浄を行うことができる。なおロッド３は、図１１（ａ）に示されるようにキャップ６３を円錐状でなく球状にして構成してもよい。このとき球状のキャップ６３上方にはキャップ６３の抜け防止のストッパー６4が備えられている。
【００３８】
またロッド３を図１１（ｂ）のように、球状のキャップ６３とスプリング６２を図１１（ａ）に示すものと逆の位置に設け、スプリング６２の付勢力によって通常の状態において開口部２３の下端側２３ａを塞ぐように構成してもよい。この場合は、口腔内吸引機を動作させると、まずキャップ６３が上方（ロッド３の先端側）に引かれ、バーホルダー１２内部がロッド３の中空部分を通じて装着アタッチメント７の内部と空間的につながる。これによってバーホルダー１２内部のエアーが開口部２３から引かれ、隙間６０から排出された洗浄液２の一部が隙間５６からバーホルダー１２内部に吸入される。そしてバーホルダー１２内部に送られた洗浄液２がバーホルダー１２内を洗浄してロッド３の中空部分を通って開口部２３から排出される。
【００３９】
【発明の効果】
以上のように構成される本発明によれば、ロッドを取り付けた歯科用ハンドピースのハウジングの内部に通じる空間の一部に装着アダプターを介して口腔内吸引機の吸引ホースが取り付けられているので、ロッドを回転させた状態で口腔内吸引機を動作させることによって、ハウジングの内部に通じる残りの空間からハウジング内部に洗浄液を効果的に吸入し、該洗浄液を装着アダプターを介して吸引ホースによって排出することができる。これによってハウジング内の洗浄を効率よく行うことができ、特に切削用バーの取付機構や回転機構に入り込んだ血のり等が洗浄されることで、血のり等によって切削用バーの取付機構や回転機構等が固まり、ハンドピースを破損する等の不都合を防止することができる。また洗浄液を滅菌液とすることでハウジング内の衛生状態を良好に保つことができるという効果もある。
【図面の簡単な説明】
【図１】アングルハンドピースの洗浄状態を示す正面斜視図である。
【図２】アングルハンドピース前端部分の側断面図である。
【図３】（ａ）はロッドのアングルハンドピースへの装着状態を示す平面図、（ｂ）はロッドを前端面から見た場合の正面図である。
【図４】アングルハンドピースの洗浄状態を示す側断面図である。
【図５】ロッドの構造を示す断面図である。
【図６】ロッドホルダーの構造を示す断面図である。
【図７】（ａ），（ｂ）はアングルハンドピースのラッチ機構の構造を示す背面図及び側断面図である。
【図８】ストレートハンドピースの洗浄状態を示す全体側面図である。
【図９】（ａ），（ｂ）はストレートハンドピースの側断面図及びＺ−Ｚ断面図である。
【図１０】ロッドの構造を示す断面図である。
【図１１】（ａ），（ｂ）はロッドのキャップ部分の構造を示す断面図である。
【符号の説明】
２      洗浄液
３      ロッド
６      吸引ホース
７      装着アダプター
８      ハウジング
２３    開口部
２４    開口部
Ａ      バー取付部分
【図１】
0003668537.tif 000002
【図２】
0003668537.tif 000003
【図３】
0003668537.tif 000004
【図４】
0003668537.tif 000005
【図５】
0003668537.tif 000006
【図６】
0003668537.tif 000007
【図７】
0003668537.tif 000008
【図８】
0003668537.tif 000009
【図９】
0003668537.tif 000010
【図１０】
0003668537.tif 000011
【図１１】
0003668537.tif 000012